(57)【要約】【要約書】【課題】  饂飩や素麺などの麺類を少しでも食べやすくすると共に、経済的に用いることが出来る麺用箸の提供。【解決手段】  棒材を鋭利とした本体１・２の略中央より先端までの表面にダイヤカットの筋による凹凸部３を設けると共に先端に膨部４を設け、一方の本体１に突起５を、他方の本体に突起５が嵌合する嵌合部を設け、突起５と嵌合部の嵌合にて本体１・２を一体となるようにしたものである。【選択図】        図１
0003107809.tif 000002
【実用新案登録請求の範囲】
【請求項１】
棒材を鋭利とした本体の略中央より先端までの表面にダイヤカットの筋による凹凸部を設けると共に先端に膨部を設けたことを特徴とする麺用箸。
【請求項２】
一方の本体に突起を、他方の本体に突起が嵌合する嵌合部を設け、突起と嵌合部の嵌合にて本体二本を一体となるようにした請求項１記載の麺用箸。
【考案の詳細な説明】
【技術分野】
【０００１】  本考案は饂飩や素麺などの麺類を食べるときに用いる麺用箸に関するものである。
【背景技術】
【０００２】  日本の食生活において欠かすことが出来ないのが饂飩や素麺などの麺類で、寒い冬には暖かくして又熱い夏には冷たくして食べている。
そして、その時に使用する箸は出来るだけ滑りにくいものを用いていた。
【考案が解決しようとする課題】
【０００４】  しかし、このように滑りにくい箸を用いているが、食べる時の麺類はその表面が濡れていて滑りやすくなっているたが、始めのうちはまだ麺が多いため何とか掴んで食べれるが、麺の量が少なくなってくるとなかなか掴み取ることが出来ず滑り落ちてしまい辛うじて小量を掴むことが出来る。
特に容器の底の小量の麺の場合には箸の先から滑り落ちてなかなか掴むことが出来ず途中で食べるのを止めて麺を残してしまう場合が多い。
そして辛うじて掴んだ小量の麺類を食べようと口元へ持って行く間にも滑り落ちてしまい、滑り落ちる麺類から付着している液体が飛散して被服を汚してしまうなど麺類を食べるうえに於いて非常に不都合を感じていた。
【課題を解決するための手段】
【０００５】  本考案はこのような不都合を解消するもので、棒材を鋭利とした本体の略中央より先端までの表面にダイヤカットの筋による凹凸部を設けると共に先端に膨部を設け、一方の本体に突起を、他方の本体に突起が嵌合する嵌合部を設け、突起と嵌合部の嵌合にて本体二本を一体となるようにしたものである。
尚、膨部としては、球形・楕円球・先端が球状の円柱等先端が曲面で、使用時に麺を入れた容器の底に傷を付けない形状であればどのような形状のものでもよい。
【０００６】  使用に当たっては、嵌合部より突起を外して二本の本体を自由にしてから普通の箸として麺を掴んで食べる。
食べ始めでまだ麺が多い場合でも凹凸部によって麺の滑り落ちるのを防いで食べることが出来ると共に、麺が少なくなり鍋物の鍋や丼の底の麺を食べる時、膨部で麺を引っ掛けて掴むことが出来るので最後まで楽に而も綺麗に食べることが出来る。
使用が終ると洗浄し、突起と該嵌合部を嵌合して二本の本体を一体として再使用に備えておく。
【考案の効果】
【０００６】  上述の如く本考案の請求項１に於いては、食べ始めでまだ麺が多い場合でも凹凸部によって麺の滑り落ちるのを防いで食べることが出来ると共に、麺が少なくなり鍋物の鍋や丼の底の麺を食べる時、膨部で麺を引っ掛けて掴むことが出来るので最後まで楽に而も綺麗に食べることが出来る。
請求項２に於いては、突起と嵌合部を嵌合して二本の本体を一体として使用に備えておくことが出来ると共に、竹や木材に替えてプラスチック製とすることによって何度でも使用が可能となり、資源の節約に貢献することが出来る等多くの特長があり実用上優れた考案である。
【考案を実施するための最良の形態】
【０００７】  棒材を鋭利とした本体の略中央より先端までの表面にダイヤカットの筋による凹凸部を設けると共に先端に膨部を設け、一方の本体に突起を、他方の本体に突起が嵌合する嵌合部を設け、突起と嵌合部の嵌合にて本体二本を一体となるようにしたものである。
【実施例１】
【０００８】  以下本考案の一実施例を図面について説明する。
図中１・２はプラスチック製の棒材を鋭利とした本体であって、略中央より先端までの表面にダイヤカットの筋による凹凸部３を設け、先端に球形の膨部４を設けている。
５は突起であって、本体１の頭部付近の外周に二個を平行に突設している。
６は本体２の頭部付近の外周に突起５が嵌合するよう外周表面を削り取って凸状とした嵌合部であって、前記突起５と該嵌合部６を嵌合して本体１・２を一体としている。【０００９】  使用に当たっては、嵌合部６より突起５を外して本体１・２を自由にしてから普通の箸として麺を掴んで食べる。
食べ始めでまだ麺が多い場合でも凹凸部３によって麺の滑り落ちるのを防いで食べることが出来ると共に、麺が少なくなり鍋物の鍋や丼の底の麺を食べる時、膨部４で麺を引っ掛けて掴むことが出来るので最後まで楽に而も綺麗に食べることが出来る。
使用が終ると洗浄し、突起５と該嵌合部６を嵌合して本体１・２を一体として再使用に備えておく。
【実施例２】
【００１０】  図中７・８はプラスチック製の棒材を鋭利とした本体であって、略中央より先端までの表面にダイヤカットの筋による凹凸部３を設け、先端に楕円球形の膨部９を設けている。
１０は板状の突起であって、本体７の中央より頭部寄りの外周表面の長手方向の中央に突設している。
１１は本体８の中央より頭部寄りの外周表面の長手方向の中央に、突起１０が嵌合するよう細溝状とした嵌合部であって、前記突起１０と該嵌合部１１を嵌合して本体７・８を一体としている。
使用に当たっては実施例１と同じのため説明は省略する。
【実施例３】
【００１１】  図中１２・１３はプラスチック製の棒材を鋭利とした本体であって、略中央より先端までの表面にダイヤカットの筋による凹凸部３を設け、先端を球状とした円柱形の膨部１４を先端に設けている。
１５は先端を僅少太くした円柱の突起であって、本体１２の中央より頭部寄りの外周表面の長手方向の中央に突設している。
１６は本体１３の中央より頭部寄りの外周表面の長手方向の中央に、突起１５が嵌合するよう円溝状とした嵌合部であって、前記突起１５と該嵌合部１６を嵌合して本体１２・１３を一体としている。
使用に当たっては実施例１と同じのため説明は省略する。
【産業上の利用可能性】
【００１０】  麺用箸として業務用或は各家庭で使用する。
【図面の簡単な説明】
【００１１】
【図１】実施例１の正面図
【図２】図１のＡ−Ａ断面拡大図
【図３】実施例１の凸部の拡大図
【図４】実施例２の正面図
【図５】図４のＢ−Ｂ断面拡大図
【図６】実施例２の凸部の拡大図
【図７】実施例３の正面図
【図８】図７のＣ−Ｃ断面拡大図
【図９】実施例３の凸部の拡大図
【符号の説明】
【００１２】  １  本体
２  本体
３  凹凸部
４  膨部
５  突起
６  嵌合部
７  本体
８  本体
９  膨部
１０  突起
１１  嵌合部
１２  本体
１３  本体
１４  膨部
１５  突起
１６  嵌合部
【図１】
0003107809.tif 000003
【図２】
0003107809.tif 000004
【図３】
0003107809.tif 000005
【図４】
0003107809.tif 000006
【図５】
0003107809.tif 000007
【図６】
0003107809.tif 000008
【図７】
0003107809.tif 000009
【図８】
0003107809.tif 000010
【図９】
0003107809.tif 000011